【手続補正書】
【提出日】平成20年5月1日(2008.5.1)
【手続補正１】
【補正対象書類名】明細書
【補正対象項目名】特許請求の範囲
【補正方法】変更
【補正の内容】
【特許請求の範囲】
【請求項１】  集団対話イベントの発生を支援する方法であって、
質問、質問への回答、および他の参加者へのプレゼンテーションのための事実の情報の内の少なくとも一つを含む情報を生成し、および情報を学習することによって、複数の参加者が互いに対話する、複数の参加者から情報を収集することに方向付けされた集団対話イベントを提供し、
コンピュータによって自動的に、前記複数の参加者の内のそれぞれの参加者への情報プレゼンテーションの速度を、前記それぞれの参加者の最大の情報学習速度未満になるようにコントロールすること、を含む方法。
【請求項２】  前記集団対話イベントは、前記イベントが時間に束縛されていることを特徴とする、請求項１に記載の方法。
【請求項３】  前記集団対話イベントは、前記イベントが続行している間、前記複数の参加者の全てが前記イベントに同時に出席することを特徴とする、請求項１に記載の方法。
【請求項４】  前記コントロールすることは、リアルタイムでコントロールすることを含む、請求項１から３のいずれかに記載の方法。
【請求項５】  前記速度は、毎分３０語より低い、請求項１から４のいずれかに記載の方法。
【請求項６】  前記速度は、少なくとも毎分１００語である、請求項１から４のいずれかに記載の方法。
【請求項７】  前記速度については、前記イベントに対して固定されること、前記イベントに対して動的であること、前記参加者の間で一様でないことの一つまたはそれ以上であることが選択し得る請求項１から６のいずれかに記載の方法。
【請求項８】  前記速度は、前記情報と前記参加者の意見の一致に依存する、請求項１から７のいずれかに記載の方法。
【請求項９】  前記複数の参加者は、少なくとも１０００人の参加者を含む、請求項１から８のいずれかに記載の方法。
【請求項１０】  前記複数の参加者はそれぞれ、少なくとも毎分０．１語の情報生成の平均速度を持つ、請求項１から９のいずれかに記載の方法。
【請求項１１】  前記イベントは複数の受動的な聴取者を含む、請求項１から１０のいずれかに記載の方法。
【請求項１２】  前記参加者の少なくとも一人は、前記イベントのメイン系列を生成することを特徴とする少なくとも一人のプレゼンターを含む、請求項１から１１のいずれかに記載の方法。
【請求項１３】  前記メイン系列を提供するために前記プレゼンターが使用する少なくとも一組のプレゼンテーション材料を提供することを含む、請求項１２に記載の方法。
【請求項１４】  前記複数の参加者の少なくとも部分の組は、前記イベントのメイン系列を変化させるために協力することができる、請求項１２に記載の方法。
【請求項１５】  前記参加者の少なくとも一人は調停者から成り、前記調停者は少なくとも前記イベントの編成を補助することを特徴とする、請求項１から１４のいずれかに記載の方法。
【請求項１６】  前記参加者の少なくとも一人は、コリオグラファー（choreographer）から成り、前記コリオグラファーは少なくとも前記イベントの一部を計画することを特徴とする請求項１から１５のいずれかに記載の方法。
【請求項１７】  前記速度をコントロールすることは、異なるタイプの参加者に対して異なる方法を用いて前記速度をコントロールすることを含む、請求項１から１６のいずれかに記載の方法。
【請求項１８】  前記速度をコントロールすることは、異なる参加者に対して異なる時間系列を提供することを含み、
異なる時間系列は、前記時間系列の異なる部分について異なる進行速度を有すること、を特徴とする請求項１から１７のいずれかに記載の方法。
【請求項１９】  異なる時間系列は、前記イベントのコンテンツについての異なるコンテンツの順序と、異なるコンテンツを対象として含むことの一方または両方を備えることを特徴とする、請求項１８に記載の方法。
【請求項２０】  異なる参加者に対して、一度に、限定された数の時間系列のみを許可することを含む、請求項１８に記載の方法。
【請求項２１】  前記参加者の少なくとも一人はプレゼンターであり、情報プレゼンテーションの速度を低下させることなしに他の参加者と対話する時間が前記プレゼンターに与えられるように、前記プレゼンターは、前記他の参加者の時間系列と比較して遅れた時間系列にしたがって動作する、請求項１８に記載の方法。
【請求項２２】  前記速度をコントロールすることは、提供される情報量を減少させるために、参加者が提供した前記イベントの要素の順位を用いることにより前記参加者をコンピュータ使用の手段として用いることを含み、
前記順位は前記参加者の動作による明示的なもの、暗黙的なものの一方または両方である、請求項１から２１のいずれかに記載の方法。
【請求項２３】  情報プレゼンテーションの速度をコントロールすることは、前記イベントの参加者への情報プレゼンテーションの速度を減少させることを含む、請求項１から２２のいずれかに記載の方法。
【請求項２４】  前記減少させることは、前記プレゼンターにフィードバックを提供することを含む、請求項２３に記載の方法。
【請求項２５】  前記フィードバックは、少なくとも前記参加者の標本からの少なくとも一つのフィードバックの統計を含む、請求項２４に記載の方法。
【請求項２６】  前記フィードバックは、前記プレゼンターに連続的に提供される、請求項２４に記載の方法。
【請求項２７】  前記フィードバックは、形式の自由なフィードバックの文を含む、請求項２４に記載の方法。
【請求項２８】  参加者に、異なる参加者の自由文字のフィードバック応答に加入する選択肢を提供する、請求項２７に記載の方法。
【請求項２９】  前記情報プレゼンテーションの速度をコントロールすることは、情報の順位に基づいて、提供された情報をフィルタ処理することを含む、請求項１から２８のいずれかに記載の方法。
【請求項３０】  前記フィルタ処理は、前記参加者の、参加者グループに対する関係に基づいてフィルタ処理することを含む、請求項２９に記載の方法。
【請求項３１】  前記フィルタ処理は、参加者に質問を提示するかどうかを自動的に選択することを含む、請求項２９に記載の方法。
【請求項３２】  前記フィルタ処理は、キーワードによるフィルタ処理を含む、請求項２９に記載の方法。
【請求項３３】  前記フィルタ処理は、題目によるフィルタ処理を含む、請求項２９に記載の方法。
【請求項３４】  前記フィルタ処理は、順位によるフィルタ処理を含む、請求項２９に記載の方法。
【請求項３５】  情報プレゼンテーションの速度をコントロールすることは、参加者間の情報伝搬に減少を発生させることを含み、
項目の役に立つ提示を確実にするために、新しい情報の項目を少なくとも最小数の参加者に提示することを含む、請求項１から３４のいずれかに記載の方法。
【請求項３６】  前記役に立つ提示は、前記項目の統計的に意味のある順位を提供するのに十分な提示を含み、前記順位はさらなる前記項目の提示について決定するために用いられる、請求項３５に記載の方法。
【請求項３７】  質問が提示される一時的なグループを生成することを含み、
前記質問は、参加者の関心の質問を配置するために好適な構成で提供され、
前記質問の少なくとも一つは、前記イベントの間に生成される、請求項１から３６のいずれかに記載の方法。
【請求項３８】  情報プレゼンテーションの速度をコントロールすることは、情報の普及のための機会を減少させる構造を前記イベントに負わせることによって参加者間の情報伝搬に減少を発生させることを含む、請求項１から３７のいずれかに記載の方法。
【請求項３９】  伝搬される情報の有効性を増加させることを含み、
前記伝搬される情報の有効性を増加させることは、前記参加者を役に立つ対話を助長する参加者の集まりを有するグループにグループ化することからなり、
前記集まりは、前記グループにおける議論の議長を務めることができると予測される少なくとも一人の参加者を含む、請求項１から３８のいずれかに記載の方法。
【請求項４０】  伝搬される情報の有効性を増加させることを含み、
前記伝搬される情報の有効性を増加させることは、前記参加者を役に立つ対話を助長する参加者の集まりを有するグループにグループ化することからなり、
前記集まりは、前記複数の参加者を統計的に代表するように選択される、請求項１から３９のいずれかに記載の方法。
【請求項４１】  前記イベントは、レクチャ、娯楽イベント、ｅ−ラーニングセッション、販売会議、トレーニングセッション、製品の発進、製品焦点のグループ会議、企業講演、会議、株主会議、およびヘルプデスクの内の一つを含む、請求項１から４０のいずれかに記載の方法。
【請求項４２】  前記イベントについて情報を抜き出すために前記参加者間の前記対話を分析することを含み、
前記抜き出された情報は整理された議論のスレッドを備える、請求項１から４１のいずれかに記載の方法。
【請求項４３】  前記集団対話イベントを提供することは、所望の目標を達成することに向けられたイベントを提供することを含む、請求項１から４２のいずれかに記載の方法。
【請求項４４】  前記集団対話イベントを提供することは、少なくとも一つの発生源からの情報が実質的に全ての参加者に提供されるイベントを提供することを含む、請求項１から４３のいずれかに記載の方法。
【請求項４５】  各参加者への情報プレゼンテーションの速度は、参加者ではなく議長によってコントロールされる、請求項１から４４のいずれかに記載の方法。
【請求項４６】  前記イベントの情報の要約を自動的に生成することを含む、請求項１から４５のいずれかに記載の方法。
【請求項４７】  前記集団対話イベントを提供することは、計画に従うイベントを提供することを含む、請求項１から４６のいずれかに記載の方法。
【請求項４８】  前記集団対話イベントは、他の参加者から情報を受信することにより、プレゼンタが決定を行うことを支援することに向けられる、請求項１から４７のいずれかに記載の方法。
【請求項４９】  集団対話イベントの発生を支援する方法であって、
質問、質問への回答、および他の参加者へのプレゼンテーションのための事実の情報の内の少なくとも一つを含む情報を生成し、および情報を学習することによって、複数の参加者が互いに対話する集団対話イベントを提供し、
コンピュータによって自動的に、前記複数の参加者の内のそれぞれの参加者への情報プレゼンテーションの速度を、前記それぞれの参加者の最大の情報学習速度未満になるようにコントロールすること、を含み、
前記コンピュータは、第１グループの参加者に少なくとも一つの情報を提供し、前記第１グループの参加者の１以上のメンバによって提供される格付けに応じて前記一つの情報を受信すべき第２グループの参加者を決定し、
前記集団対話イベントを提供することは、前記イベントの主催者の所望の目標の達成に向けられたイベントを提供することを含む、方法。
【請求項５０】  前記請求項１から請求項４９のいずれかに記載の方法を実行するための装置であって、コンピュータと、前記コンピュータをプログラムするためのソフトウェアをその中に格納しているメモリと、を備える装置。